(57)【要約】【課題】１組の接合レンズが組み込まれたレンズ鏡筒において、接合レンズの接着材から放出されるガスでレンズに曇りが生じないようにする簡単な方法を提案するものである。【解決手段】レンズ鏡筒１０は、凹レンズ１２と凸レンズ１３とが接着材１４によって貼り合わされた接合レンズ１５が鏡筒部材２０に挿入され、鏡筒部材２０のレンズ挿入側端面に等間隔に形成された複数個のカシメ代部２１によって熱カシメされる。鏡筒部材２０は、凸レンズ１３が収容される第２内壁面２４に６つのリブ２５が形成される。凸レンズ１３の外周面１８と第２内壁面２４との間はリブ２５によって区切られた空間２８が６つ形成され、空間２８は凹レンズ１２に接する一端側に凹レンズ１２と凸レンズ１３とが貼り合わされた面の端部１６が露呈し、他端側が熱カシメによって変形されたカシメ代部２１の間の空間を通して外部と連通する。【選択図】図２
2011113021.tif 000002
【特許請求の範囲】
【請求項１】
接着材によって貼り合わされた第１レンズと第２レンズからなる１つの接合レンズと、挿入された前記接合レンズが熱カシメされる鏡筒部材と、を備えたレンズ鏡筒において、
前記鏡筒部材は、前記第１レンズを光軸方向に位置決めするレンズ受面と、前記第１レンズの外周面と周接して前記接合レンズの光軸中心を位置決めする第１内壁面と、前記第２レンズの外周面との間に所定の空間が形成されるように前記第２レンズの外周面を囲む第２内壁面と、前記第２内壁面に連設され前記第２レンズの光学面に熱カシメされる複数のカシメ代部とを有し、
前記所定の空間は、前記第１レンズと第２レンズとが貼り合わされた面の端部が一端側に露呈するとともに、他端側が隣合う２つの熱カシメされた前記カシメ代部の間を通して外部と連通することを特徴とするレンズ鏡筒。
【請求項２】
前記所定の空間は、前記第２内壁面に設けられた複数のリブによって複数個に分割して形成されることを特徴とする請求項１記載のレンズ鏡筒。
【請求項３】
前記複数のリブは前記第１内壁面の光軸方向の長さより長く形成され、
前記接合レンズが前記鏡筒部材に挿入されるとき、前記第２レンズの外周面が前記複数のリブと嵌合した後に前記第１レンズと前記第１内壁面とが嵌合することを特徴とする請求項２記載のレンズ鏡筒。
【発明の詳細な説明】
【技術分野】
【０００１】
本発明は、接合レンズが組込まれたレンズ鏡筒に関するものである。
【背景技術】
【０００２】
複数枚のレンズを組合せた光学系であっても単レンズの組合せでは収差補正が十分とは言えないことが多く、極めて少ない収差が要求されるレンズ鏡筒においては２枚のレンズを貼り合わせた接合レンズが用いられる。接合レンズは、主に負のパワーを持つレンズと凸のパワーを持つレンズの向き合う面が同じ曲率で形成され、合成樹脂系接着材によって貼り合わせられたものが一般的である。レンズの接合に使用される接着材は真空環境下や高温環境下で多くのアウトガスを発生させることがある。
【０００３】
画像を投写してスクリーンに映し出すプロジェクタに用いられる投写用レンズ鏡筒は、投写光による熱で光学レンズが加熱され高温になるので、ここに接合レンズが用いられている場合、多量のアウトガスが発生する。アウトガスは僅かな隙間でも通過して鏡筒内に充満し、鏡筒内の空気中の水分と反応して加水分解が起こる。例えば、エステル系ガスの場合は加水分解によってカルボン酸が生成され、これらの生成物がレンズ表面に付着してレンズの光学面に曇りが生じる。また、レンズの曇りは、ガスによるものだけでなく、鏡筒内の空気中の水分がレンズ面に露結して起こることもある。
【０００４】
下記特許文献１には、レンズ鏡筒の前面側に新たにフィルタガラスを取り付ける際に、レンズ鏡筒内に高圧封印した乾燥空気又はガスを、レンズとフィルタガラス間に流入させて、新たに形成された空間から水分を含んだ外気を追い出して、フィルタ面やレンズ面に曇りが生じないようにしたレンズ鏡筒が記載されている。また、接着材は熱だけでなく光によってもガスを発生させるものがあり、接着材に光が照射しないようにした受光素子のパッケージ方法が、下記特許文献２に記載されている。下記特許文献３に示されるステッパ用露光装置では、レンズ鏡筒に複数枚のレンズが装填され、それぞれのレンズに挟まれた空間に非酸化性ガスが充填されることが示されている。非酸化性ガスは鏡筒部材の側面にあけられた複数の通過孔から供給される。
【先行技術文献】
【特許文献】
【０００５】
【特許文献１】特開平０７−１２８５６５号公報
【特許文献２】特開２００２−０７６３７５号公報
【特許文献３】特開平０７−２０１７０２号公報
【発明の概要】
【発明が解決しようとする課題】
【０００６】
接合レンズは光学精度の向上だけでなく使用するレンズの枚数削減のために用いられることもある。レンズ枚数が最も少ない場合は１組の接合レンズだけのこともある。あるいは、ピント合わせを行うフォーカスレンズとして1組の接合レンズを他のレンズの前に可動式に配置することもある。このような1組の接合レンズであっても、機器に装着される側は機器側の部材との間で密閉空間が形成され、接合レンズから発生したガスが密閉空間に充満されるので、接合レンズの機器側の光学面や機器内部のレンズなどに曇りが生じてしまう。密閉空間が形成されない場合であっても、ガスが機器の内部に侵入してしまい、他の光学部品などにガスによる生成物が付着することもある。
【０００７】
例えば、図８に示すように、鏡筒部材７０のカシメ代部７１のように接合レンズ７２を構成する凸レンズ７３の全周に亘って熱カシメされていると、凸レンズ７３と凹レンズ７４とを貼り合わせている接着材７５から発生したガス７７が鏡筒部材７０と接合レンズ７２の間に閉じ込められてしまう。熱カシメされた部分は樹脂の密着度が高く、これに比べてレンズ受面８０と凹レンズ７４の密着度は低いため、充満したガスがレンズ受面８０の側より漏れ出し、凹レンズ７４の光学面８２や機器側のレンズ８５の光学面８６に付着して曇りを生じさせてしまう。なお、接着材７５は温度だけでなく、光、経時変化などによってもガスを発生させる。このように1組の接合レンズが鏡筒部材に装填されたものでは、特許文献１や特許文献３に示されるようなレンズ間にガスを充填する方法を採用することはできない。
【０００８】
本発明は上記問題に鑑み、１組の接合レンズが組み込まれたレンズ鏡筒において、接合レンズの接着材から放出されるガスでレンズに曇りが生じないようにする簡単な方法を提案するものである。
【課題を解決するための手段】
【０００９】
本発明によるレンズ鏡筒は、接着材によって貼り合わされた第１レンズと第２レンズからなる１つの接合レンズと、挿入された前記接合レンズが熱カシメされる鏡筒部材と、を備えたレンズ鏡筒であって、前記鏡筒部材は、前記第１レンズを光軸方向に位置決めするレンズ受面と、前記第１レンズの外周面と周接して前記接合レンズの光軸中心を位置決めする第１内壁面と、前記第２レンズの外周面との間に所定の空間が形成されるように前記第２レンズの外周面を囲む第２内壁面と、前記第２内壁面に連設され前記第２レンズの光学面に熱カシメされる複数のカシメ代部とを有し、前記所定の空間は、前記第１レンズと第２レンズとが貼り合わされた面の端部が一端側に露呈するとともに、他端側が隣合う２つの熱カシメされた前記カシメ代部の間を通して外部と連通することを特徴とする。
【００１０】
前記所定の空間は、前記第２内壁面に設けられた複数のリブによって複数個に分割して形成されるようにすると良い。前記複数のリブは前記第１内壁面の光軸方向の長さより長く形成され、前記接合レンズが前記鏡筒部材に挿入されるとき、前記第２レンズの外周面が前記複数のリブと嵌合した後に前記第１レンズと前記第１内壁面とが嵌合されるようにすると良い。
【発明の効果】
【００１１】
本発明によるレンズ鏡筒は、機器への取付側とは反対の前側（プロジェクタ用レンズの場合はスクリーン側）にガスが自然放出されるように、鏡筒部材の内壁とレンズとの間にガスの通路が形成されているので、接合レンズの接着材から発生したアウトガスが鏡筒部材内部や取り付けた機器の内部に溜まることがなく、アウトガスによってレンズの表面に曇りが生じることはない。
【図面の簡単な説明】
【００１２】
【図１】本発明によるレンズ鏡筒の上面図である。
【図２】図１の矢視断面図である。
【図３】組込み前のレンズと鏡筒部材の断面図である。
【図４】組込み途中のレンズと鏡筒部材の断面図である。
【図５】レンズ鏡筒が機器本体に取り付けられた断面図である。
【図６】本発明によるレンズ鏡筒における接着材から発生したガスの説明図である。
【図７】別のレンズ鏡筒の断面図である。
【図８】従来のレンズ鏡筒でガスが発生したときの説明図である。
【発明を実施するための形態】
【００１３】
図１〜図３に示すように、レンズ鏡筒１０は、凹レンズ（第１レンズ）１２の光学面と凸レンズ（第２レンズ）１３の光学面とが接着材１４によって貼り合わされた接合レンズ１５が鏡筒部材２０に挿入され、鏡筒部材２０のレンズ挿入側端面に等間隔に形成された複数個のカシメ代部２１が熱カシメされて接合レンズ１５が鏡筒部材２０に固定される。凹レンズ１２と凸レンズ１３の貼り合わせ部分の外周部分（以下、端部という。）１６から接着材１４が僅かにはみ出す。
【００１４】
鏡筒部材２０は、挿入された接合レンズ１５の光軸方向の位置を決めるために凹レンズ１２を当接させるレンズ受面２２と、接合レンズ１５の光軸中心の位置を決めるために凹レンズ１２の外周面１７を周接させ嵌合させる第１内壁面２３と、凸レンズ１３を収容するとともに凸レンズ１３の光学面３３に熱カシメされるカシメ代部２１が連設された第２内壁面２４とを有する。第２内壁面２４には円周を６等分する６ヶ所にリブ２５が形成される。リブ２５は第１内壁面２３の光軸方向の長さ（深さ）より長く形成される。これによって、接合レンズ１５が鏡筒部材２０に挿入されるとき、凹レンズ１２の外周面１７が鏡筒部材２０の第１内壁面２３に嵌合する前に凸レンズ１３の外周面１８がリブ２５によってガイドされ、凹レンズ１２を第１内壁面２３に正しく嵌合させる（図４参照）。
【００１５】
第２内壁面２４と外周面１８の間はリブ２５によって区切られた空間２８が６つ形成される。空間２８は、凹レンズ１２に接する一端側に凹レンズ１２と凸レンズ１３とが貼り合わされた面の端部１６が露呈し、他端側が隣合う２つの熱カシメによって変形されたカシメ代部２１の間の空間を通して外部と連通している。また、鏡筒部材２０にはピント調整を行うためのヘリコイドギヤ（雄ヘリコ）３０が形成される。
【００１６】
次に、本発明によるレンズ鏡筒１０の作用・効果について説明する。図５に示すように、レンズ鏡筒１０が取り付けられる機器本体（例えば、投写プロジェクタ）４０には取付枠４１が固定されている。取付枠４１は光軸を含む中央部分に開口が形成され、開口にはレンズ４３が設けられて塵埃が機器本体４０の内部に侵入しないようになっており、レンズ４３より外側にヘリコイドギヤ（雌ヘリコ）４２が形成される。レンズ鏡筒１０はヘリコイドギヤ３０がヘリコイドギヤ４２に螺合することで機器本体４０に固定され、レンズ鏡筒１０を回転させることでヘリコイドギヤの作用によりピント調整が可能となっている。
【００１７】
図６に示すように、機器が使用状態となってレンズ鏡筒１０を光が通ると、光によって接合レンズ１５が熱せられ、接着材１４がガス（アウトガス、エステル系ガス）３２を発生させる。接着材１４は空間２８の一端側に露呈した端部１６から僅かにはみ出しており、ガス３２が接着材１４から空間２８に流出する。空間２８に流出したガス３２は空間２８の他端側で、隣合う２つの熱カシメされたカシメ代部２１の間の空間から外部に流出して消滅する。ガス３２は空間２８を含む接合レンズ１５の周囲に停滞することはなく、凸レンズ１３の光学面３３にガス３２による生成物が付着して光学面３３に曇りが生じることはない。
【００１８】
なお、接着材１４がレンズの貼り合わされた面の端部１６からはみ出していない場合であっても、２枚のレンズの隙間によって空間２８に連通されているので、発生したガスは空間２８に流出する。また、図７に示す鏡筒部材５０のように、鏡筒部材２０と取付枠４１とが一体となった構成であっても良く、鏡筒部材５０には接合レンズ１５より機器への取付側にレンズ５３が組み込まれていても良い。レンズ５３はなくても良い。なお、前記実施形態において、リブ２５はなくても問題はない。
【符号の説明】
【００１９】
１０  レンズ鏡筒
１２  凹レンズ（第１レンズ）
１３  凸レンズ（第２レンズ）
１４  接着材
１５  接合レンズ
１６  端部（貼り合わされた面の外周部分）
１７  凹レンズの外周面
１８  凸レンズの外周面
２０，５０  鏡筒部材
２１  カシメ代部
２２  レンズ受面
２３  第１内壁面
２４  第２内壁面
２５  リブ
２８  空間
３０，４２  ヘリコイドギヤ
３２  ガス（アウトガス、エステル系ガス）
３３，３４，３５  光学面
４０  機器本体
４１  取付枠
４３，５３  レンズ
【図１】
2011113021.tif 000003
【図２】
2011113021.tif 000004
【図３】
2011113021.tif 000005
【図４】
2011113021.tif 000006
【図５】
2011113021.tif 000007
【図６】
2011113021.tif 000008
【図７】
2011113021.tif 000009
【図８】
2011113021.tif 000010